(57)【要約】【課題】漏電検出手段の異常の有無を検出でき、正常な状態である場合には、電力供給を中断せずに電力供給を継続することができる電力変換装置を提供する。【解決手段】インバータ装置10はバッテリ20から供給される直流電力を交流電力に変換して出力するパワー部12と、出力ライン15ａ，15ｂの漏電を検出する漏電検出手段16と、出力ラインに模擬漏電状態を生成する模擬漏電生成手段17とを備えている。模擬漏電生成手段17の所定時間の作動中に漏電検出手段16から漏電検出信号が出力され、かつ模擬漏電生成手段17の停止に伴って漏電検出手段16から漏電検出信号の出力が停止されたときは、パワー部12からの出力を継続し、所定時間内に漏電検出信号が出力されない場合又は模擬漏電生成手段17の停止に伴って漏電検出信号の出力が停止されないときは、パワー部12を停止させるように制御を行う制御部14を備えている。【選択図】      図１
2005057965.tif 000002
【特許請求の範囲】
【請求項１】
電源から供給される電力をスイッチング素子のオン・オフ動作により変換して出力するパワー部と、
前記パワー部に接続された出力ラインの漏電を検出する漏電検出手段と、
前記出力ラインに模擬漏電状態を生成する模擬漏電生成手段と、
前記模擬漏電生成手段の所定時間の作動中に前記漏電検出手段から漏電検出信号が出力されたか否かを判断するとともに、前記模擬漏電生成手段の停止に伴って前記漏電検出手段から漏電検出信号の出力が停止されたか否かを判断する判断手段と、
前記判断手段の判断に基づいて、前記所定時間内に前記漏電検出手段から漏電検出信号が出力され、かつ前記模擬漏電生成手段の停止に伴って前記漏電検出手段から漏電検出信号の出力が停止されたときは、前記パワー部からの出力を継続し、前記所定時間内に前記漏電検出手段から漏電検出信号が出力されない場合又は前記模擬漏電生成手段の停止に伴って前記漏電検出手段から漏電検出信号の出力が停止されないときは、前記パワー部を停止させるように制御を行う制御手段と
を備えた電力変換装置。
【請求項２】
前記模擬漏電生成手段は少なくとも前記パワー部の起動の際に所定時間作動される請求項１に記載の電力変換装置。
【請求項３】
前記模擬漏電生成手段は所定の周期で所定時間作動される請求項１に記載の電力変換装置。
【請求項４】
前記パワー部は交流電圧を出力する請求項１〜請求項３のいずれか一項に記載の電力変換装置。
【発明の詳細な説明】
【技術分野】
【０００１】
本発明は、電力変換装置に係り、詳しくは漏電検出手段を備えた電力変換装置に関する。
【背景技術】
【０００２】
通常の家庭用漏電機能付きコンセントは、図５に示す回路構成を備えている。漏電機能付きコンセント３１は、零相変流器（ＺＣＴ）と呼ばれるセンサ３２と、その検出電圧を増幅する増幅器３３と、接点３４を開放させるトリップコイル３５とを備えた漏電遮断器３６を内蔵している。また、漏電機能付きコンセント３１には、意図的に模擬漏電状態を引き起こすため、抵抗３７と押しボタンスイッチ３８とが直列に接続された漏電回路３９を備えている。そして、押しボタンスイッチ３８を押すと漏電と同じ状態となり、漏電遮断器３６が正常であれば、トリップコイル３５が作動されて接点３４が開放されるようになっている。漏電遮断器３６が正常であることを確認した後、接点３４を閉成状態に復帰させる。
【０００３】
しかし、前記の漏電機能付きコンセント３１は、ユーザーが押しボタンスイッチ３８を操作して漏電遮断器３６が正常に作動するか否かを確認する必要があるため、ユーザーが点検を怠ると、漏電遮断器３６が故障していても放置されることになり、漏電が実際に発生した際に漏電遮断器３６が有効に機能しないおそれがある。
【０００４】
このような問題を解消するため、自動的に漏電遮断器が正常か否かのチェックを行う装置が提案されている（例えば、特許文献１及び特許文献２参照。）。特許文献１には、商用交流電源ラインに接続され、漏電によって離落して前記商用交流電源ラインを切断するブレーカ接点及び前記商用交流電源ラインに模擬漏電状態を生成する模擬漏電手段を包含した漏電ブレーカを具備した洗浄便座の漏電ブレーカチェック装置が提案されている。このチェック装置は、便座の使用回数を累積するカウント手段と、このカウント手段のカウント数が所定回数を超えたとき前記模擬漏電手段にテスト信号を送出する漏電テスト手段を備えている。そして、この漏電テスト手段によるブレーカチェック時に、前記ブレーカ接点の動作状態を示すモニタ信号を解読して前記漏電ブレーカの正常、異常を判断して表示させる判定手段を包含する便座コントローラを備えている。
【０００５】
特許文献２に開示された漏電防止装置は、機器の漏電に応答して該機器への通電を遮断する漏電遮断手段と、この漏電遮断手段を点検するための点検指令の入力に応答して前記漏電遮断手段を模擬動作させる模擬動作手段と、前記漏電遮断手段の遮断動作を検出する遮断動作検出手段とを備えている。また、漏電防止装置は、機器の運転に応じて自動的に前記模擬動作手段に点検指令を与え、前記遮断動作検出手段の検出に基づいて前記漏電遮断手段の状態を自動点検する制御手段を備えている。
【特許文献１】特開平６−８８３６８号公報（明細書の段落［０００７］〜［０００９］、図１）
【特許文献２】特開平９−４６８８６号公報（明細書の段落［００１８］〜［００２０］、図３）
【発明の開示】
【発明が解決しようとする課題】
【０００６】
特許文献１及び特許文献２に開示された装置では、ユーザーがチェックを行わなくても自動的に漏電遮断器の点検が行われる。しかし、いずれの装置においても、漏電遮断器が正常である場合、機器への電力供給が中断される。そして、漏電遮断器の開放された接点が閉成された後、機器への電力供給が行われる。即ち、従来装置では機器への電力供給を中断する必要がないにも拘わらず、中断せざるを得なかった。また、開放された接点を閉成状態に復帰させる動作が必須になる。
【０００７】
電動機の変速駆動に使用するインバータ装置に漏電遮断器を装備した場合、特許文献１及び特許文献２に開示された装置で自動的に漏電検出手段の異常の有無を確認すると、電動機を起動後、直ぐに駆動が停止され、その後、再起動される状態となり、不要な停止、再起動が行われる。また、インバータ装置以外の電力変換装置、例えばＤＣ／ＤＣコンバータやＡＣ／ＤＣコンバータなどの電力変換装置を電気機器の電源に使用する場合も、同様な問題がある。
【０００８】
本発明は、前記の問題に鑑みてなされたものであって、その目的は漏電検出手段の異常の有無を検出でき、正常な状態である場合には、電力供給を中断せずに電力供給を継続することができる電力変換装置を提供することにある。
【課題を解決するための手段】
【０００９】
前記の目的を達成するため、請求項１に記載の発明は、電源から供給される電力をスイッチング素子のオン・オフ動作により変換して出力するパワー部と、前記パワー部に接続された出力ラインの漏電を検出する漏電検出手段と、前記出力ラインに模擬漏電状態を生成する模擬漏電生成手段とを備えている。また、前記模擬漏電生成手段の所定時間の作動中に前記漏電検出手段から漏電検出信号が出力されたか否かを判断するとともに、前記模擬漏電生成手段の停止に伴って前記漏電検出手段から漏電検出信号の出力が停止されたか否かを判断する判断手段を備えている。さらに、前記判断手段の判断に基づいて、前記所定時間内に前記漏電検出手段から漏電検出信号が出力され、かつ前記模擬漏電生成手段の停止に伴って前記漏電検出手段から漏電検出信号の出力が停止されたときは、前記パワー部からの出力を継続し、前記所定時間内に前記漏電検出手段から漏電検出信号が出力されない場合又は前記模擬漏電生成手段の停止に伴って前記漏電検出手段から漏電検出信号の出力が停止されないときは、前記パワー部を停止させるように制御を行う制御手段を備えている。「所定時間」は漏電の検出に必要な最低時間より長い時間に設定されている。
【００１０】
この発明では、電源から供給される電力が、パワー部に設けられたスイッチング素子のオン・オフ動作により変換されて出力ラインから出力される。出力ラインに設けられた漏電検出手段の作用により漏電が検出される。また、模擬漏電生成手段の作動により生じた漏電を検出することにより、漏電検出手段の異常の有無が検出される。模擬漏電の際には、漏電検出手段の作用により漏電が検出されても出力ラインからの電力の出力は継続され、漏電が検出されない場合に、異常と判断されて出力ラインからの電力の出力が停止される。
【００１１】
請求項２に記載の発明は、請求項１に記載の発明において、前記模擬漏電生成手段は少なくとも前記パワー部の起動の際に所定時間作動される。この発明では、少なくともパワー部の起動の際に模擬漏電状態が生成され、漏電検出手段の異常の有無が検出される。従って、ユーザーが特に漏電検出のための特別な操作を行わなくても、自動的に漏電検出手段の異常の有無を検出できる。
【００１２】
請求項３に記載の発明は、請求項１に記載の発明において、前記模擬漏電生成手段は所定の周期で所定時間作動される。この発明では、所定の周期で模擬漏電状態が所定時間生成され、漏電検出手段の異常の有無が検出される。従って、請求項２に記載の発明と同様に、ユーザーが特に漏電検出のための特別な操作を行わなくても、自動的に漏電検出手段の異常の有無を検出できる。また、所定の周期で模擬漏電状態が生成されるため、電力変換装置が一度起動されてからの継続稼働時間が長い状態で電力変換装置が使用される場合でも、漏電検出手段の異常の有無を定期的に自動的に検出することができる。
【００１３】
請求項４に記載の発明は、請求項１〜請求項３のいずれか一項に記載の発明において、前記パワー部は交流電圧を出力する。この発明では、パワー部から交流電圧が出力され、例えば、電動機の制御に使用するインバータ装置や車載用のインバータ装置に好適である。  
【発明の効果】
【００１４】
本発明によれば、漏電検出手段の異常の有無を確認でき、正常な状態である場合には、電力供給を中断せずに電力供給を継続することができる。
【発明を実施するための最良の形態】
【００１５】
以下、本発明をバッテリの直流出力を交流出力に変換する車載用のインバータ装置に具体化した一実施形態を図１及び図２に従って説明する。図１は電力変換装置としてのインバータ装置の概略構成図であり、図２は漏電検出時の作用を説明するフローチャートである。
【００１６】
図１に示すように、インバータ装置１０を構成するインバータ部１１は、パワー部１２、ドライブ回路１３及び制御手段としての制御部１４を備えている。また、インバータ装置１０は、パワー部１２に接続された出力ライン１５ａ，１５ｂの漏電を検出する漏電検出手段１６と、出力ライン１５ａ，１５ｂに模擬漏電状態を生成する模擬漏電生成手段１７とを備えている。
【００１７】
パワー部１２はＤＣ−ＤＣコンバータ１８及びＤＣ−ＡＣインバータ１９を備えている。ＤＣ−ＤＣコンバータ１８は、図示しない一対のスイッチング素子、昇圧トランス及び整流回路を備え、バッテリ２０から供給される直流電圧を昇圧し、その昇圧した直流電圧（例えば１００ボルトに昇圧した直流電圧）をＤＣ−ＡＣインバータ１９に供給する。ＤＣ−ＡＣインバータ１９はＨブリッジ回路（図示せず）を備え、ＤＣ−ＤＣコンバータ１８で昇圧した直流電圧を交流電圧に変換する。即ち、パワー部１２は、電源としてのバッテリ２０から供給される直流電力を交流電力に変換して出力する。ＤＣ−ＤＣコンバータ１８及びＤＣ−ＡＣインバータ１９は例えば公知の構成となっている。
【００１８】
ＤＣ−ＤＣコンバータ１８びＤＣ−ＡＣインバータ１９は、複数のスイッチング素子（例えば、ＭＯＳトランジスタ）を備え、そのゲートはドライブ回路１３に接続されている。ドライブ回路１３は制御部１４に接続され、制御部１４からの制御信号に基づいてドライブ回路１３が各スイッチング素子をオン、オフ制御することにより、ＤＣ−ＤＣコンバータ１８では直流電圧の昇圧が行われ、ＤＣ−ＡＣインバータ１９では直流電圧の交流電圧への変換が行われる。
【００１９】
漏電検出手段１６は、零相変流器２１及び増幅器２２を備えている。零相変流器２１は一次側導体としての出力ライン１５ａ，１５ｂがリングコア２１ａを貫通する状態で配備され、図示しない検出コイルに漏電電流に比例して発生した電圧を増幅器２２で増幅して制御部１４へ出力するようになっている。
【００２０】
模擬漏電生成手段１７は、抵抗２３及びリレー２４で構成され、抵抗２３の一端が一方の出力ライン１５ａに接続され、他端がリレー２４の接点２４ａを介して他方の出力ライン１５ｂに接続されている。接点２４ａはリレー２４が励磁された状態で閉成されて通電可能となり、リレー２４の消磁状態で開放されるようになっている。
【００２１】
制御部１４はＣＰＵ及びメモリ（いずれも図示せず）を備えたマイクロコンピュータ（マイコン）で構成され、メモリにはＤＣ−ＤＣコンバータ１８及びＤＣ−ＡＣインバータ１９を駆動するのに必要な各種制御プログラムが記憶されている。また、メモリには、模擬漏電生成手段１７を所定時間作動させる制御プログラムと、漏電検出手段１６の出力に基づいて漏電状態か否かの判断及び漏電検出手段１６の有無を判断するためのプログラムが記憶されている。前記所定時間は、漏電の検出に必要な最低時間より長い時間に設定されている。また、所定時間は設定変更可能に構成されている。
【００２２】
漏電状態か否かの判断は、制御部１４にプログラムとして設けられた判定回路２５により行われ、判定回路２５は、増幅器２２の出力電圧が予め設定された所定の値以上の時に漏電状態と判断する。
【００２３】
制御部１４は、模擬漏電生成手段１７が作動を開始した後、所定時間内に漏電検出手段１６から漏電検出信号が出力されたか否かを判断するとともに、作動停止指令の出力に伴って漏電検出手段から漏電検出信号の出力が停止されたか否かを判断する判断手段を構成する。判断手段は、前記所定時間内に漏電検出手段１６から漏電検出信号が出力され、かつ前記作動停止指令の出力に伴って漏電検出手段１６から漏電検出信号の出力が停止されたときは、漏電検出手段１６が正常であると判断する。また、判断手段は、前記所定時間内に漏電検出手段１６から漏電検出信号が出力されない場合又は前記作動停止指令の出力に伴って漏電検出手段１６から漏電検出信号の出力が停止されないときは、漏電検出手段１６が異常であると判断する。
【００２４】
模擬漏電生成手段１７を作動及び停止させる制御プログラムに基づいて、制御部１４は、図示しない出力回路を介してリレー２４に接続されている。そして、パワー部１２の起動の際に、リレー２４の励磁指令、即ち模擬漏電生成手段１７の作動指令を出力し、その出力から所定時間経過後に、リレー２４の消磁指令、即ち模擬漏電生成手段１７の作動停止指令を出力する。
【００２５】
制御部１４は、パワー部１２の起動開始後、前記判断手段の判断に基づいて、漏電検出手段１６が正常と判断された場合は、パワー部１２からの出力を継続し、漏電検出手段１６が異常と判断された場合は、パワー部１２からの出力を停止させるようにパワー部１２の制御を行う。
【００２６】
次に、上記のように構成されたインバータ装置１０の作用について説明する。
図示しない起動スイッチがオンに操作されると、スイッチング素子がオン・オフ制御され、ＤＣ−ＤＣコンバータ１８からバッテリ２０の電圧より高電圧の直流電圧がＤＣ−ＡＣインバータ１９へ供給される。また、ＤＣ−ＡＣインバータ１９においてもスイッチング素子がオン・オフ制御され、直流電圧が交流電圧に変換されて出力ライン１５ａ，１５ｂへ出力される。
【００２７】
また、起動スイッチがオンに操作されると、漏電検出手段１６の異常の有無の確認動作が開始される。その動作を図２のフローチャートに従って説明する。
先ずステップＳ１で、制御部１４から模擬漏電生成手段１７に作動指令が出力、即ち、リレー２４に励磁指令が出力される。そして、接点２４ａが閉成されて出力ライン１５ａ，１５ｂ間は抵抗２３によって短絡され、模擬漏電状態になる。模擬漏電状態になると、各出力ライン１５ａ，１５ｂに流れる電流値に差が生じ、零相変流器２１の二次巻線に漏電電流に対応した電圧が発生する。そして、増幅器２２で増幅された信号が判定回路２５へ入力される。
【００２８】
次にステップＳ２で、制御部１４は、漏電検出信号が出力されているか否か、即ち漏電が検出されているか否かを判定回路２５で判定する。そして、漏電が検出されるとステップＳ３に進み、ステップＳ３で所定時間が経過したか否かを判断する。ステップＳ３で所定時間が経過していない場合はステップＳ２に戻り、所定時間が経過している場合はステップＳ４に進み、模擬漏電生成手段１７に作動停止指令信号を出力、即ちリレー２４に消磁指令信号を出力する。リレー２４に消磁指令が出力されると接点２４ａが開放され、模擬漏電状態が解除される。
【００２９】
次にステップＳ５に進み、漏電が検出されているか否かを判定回路２５で判定する。そして、ステップＳ５で漏電が検出されている場合はステップＳ６に進み、パワー部１２の出力を停止させる。なぜならば、模擬漏電を停止させた状態であるのに漏電が検出されているということは、本当の漏電状態であることを意味するので、危険防止のためパワー部１２の出力が停止される。
【００３０】
一方、ステップＳ５で漏電が検出されていない場合は、ステップＳ７に進み、パワー部１２の出力を継続し、漏電検出手段１６の異常の有無の確認動作を終了する。なぜならば、模擬漏電の状態では漏電が検出されており、模擬漏電を停止させた状態では漏電が検出されないということは、漏電検出手段１６が正常であることを意味するからである。
【００３１】
また、ステップＳ２で漏電が検出されない場合は、ステップＳ８に進み、模擬漏電生成手段１７が作動を開始した後、所定時間が経過したか否かを判断する。そして、所定時間が経過していなければステップＳ２に戻り、所定時間が経過していればステップＳ６に進み、パワー部１２の出力を停止させる。なぜならば、模擬漏電状態でになってから所定時間が経過しているにも拘わらず、漏電が検出されないということは、漏電検出手段１６に異常がある可能性が高く、そのまま運転を継続すると、実際に漏電が発生した際に、漏電検出手段１６が漏電を検出できない可能性が高いからである。
【００３２】
漏電検出手段１６の異常の有無の確認が終了し、漏電検出手段１６が正常であれば、パワー部１２からの交流電圧の出力が継続される。そして、本当の漏電が発生したとき、即ち模擬漏電生成手段１７が作動されていない状態で漏電検出手段１６が漏電を検出したときは、制御部１４からドライブ回路１３への駆動指令が停止され、パワー部１２からの電力（交流電圧）の出力が停止される。
【００３３】
この実施の形態では以下の効果を有する。
（１）  インバータ装置１０は、バッテリ２０から供給される電力をスイッチング素子のオン・オフ動作により変換して出力するパワー部１２と、パワー部１２に接続された出力ライン１５ａ，１５ｂの漏電を検出する漏電検出手段１６と、出力ライン１５ａ，１５ｂに模擬漏電状態を生成する模擬漏電生成手段１７とを備えている。そして、模擬漏電状態のときに漏電検出手段１６が正常に作動する否かを判断する判断手段を備え、正常な場合はパワー部１２の出力を継続し、異常の場合はパワー部１２の出力を停止する制御部１４を備えている。従って、模擬漏電を検出することにより、漏電検出手段１６の異常の有無を検出できるとともに、正常な状態である場合には、電力供給を中断せずに電力供給を継続することができる。その結果、漏電遮断器を備えた従来装置と異なり、電力供給の無駄な中断及び漏電遮断器の復帰操作を行う必要がなくなる。
【００３４】
（２）  模擬漏電生成手段１７は少なくともパワー部１２の起動の際に所定時間作動される。従って、少なくともパワー部１２の起動の際に模擬漏電状態が生成され、漏電検出手段１６の異常の有無が検出される。その結果、ユーザーが特に漏電検出のための特別な操作を行わなくても、自動的に漏電検出手段１６の異常の有無を検出できる。
【００３５】
（３）  車載用のインバータ装置１０に適用されている。車載用のインバータ装置１０では長期間にわたってインバータ装置１０の使用が継続されることは少ないため、パワー部１２の起動の際に漏電検出手段１６の検査が行われることで漏電検出手段１６の信頼性を十分に確保できる。
【００３６】
（４）  漏電検出手段１６に零相変流器２１が使用されているため、他のセンサを使用する場合に比較して漏電検出が容易となる。
（５）  模擬漏電生成手段１７を所定時間作動させる作動手段と、漏電検出手段１６の異常の有無を判断する判断手段とがマイコンによって構成されている。従って、部品点数が少なくなるとともに、所定時間の設定が容易になる。
【００３７】
（６）  パワー部１２は交流電圧を出力する。従って、この実施の形態の電力変換装置は車載用のインバータ装置に好適である。
実施の形態は前記に限定されるものではなく、例えば、次のように具体化してもよい。
【００３８】
○  電力変換装置は車載用のインバータ装置１０に限らず、バッテリ２０を電源として使用する他のインバータ装置や、交流電源をＡＣ−ＤＣコンバータで直流に変換し、その直流をＤＣ−ＡＣインバータ１９で交流に変換するインバータ装置に適用してもよい。
【００３９】
○  単相交流用インバータ装置に限らず、三相交流用インバータ装置に適用してもよい。
○  漏電検出手段１６は零相変流器２１を使用する構成に限らない。例えば、シャント抵抗型電流センサを使用したり、ホール素子型電流センサを使用してもよい。電流変換装置が直流電力を出力する場合は、ホール素子型電流センサを使用するのが好ましい。零相変流器２１の場合は１個で漏電を検出できるが、シャント抵抗型電流センサやホール素子型電流センサを使用する場合は、各出力線（出力ライン）毎に電流センサを設けないと精度の良い漏電検出が難しい。
【００４０】
○  電力変換装置として交流電力を出力するインバータ装置に限らず、ＤＣ−ＤＣコンバータやＡＣ−ＤＣコンバータのように直流電力を出力する電力変換装置に適用してもよい。この場合、漏電検出手段１６は零相変流器２１に代えて、ホール素子型電流センサを使用する。
【００４１】
○  模擬漏電生成手段１７が所定の周期で所定時間作動される構成としてもよい。例えば、制御部１４は内蔵されたタイマにより時間を計測し、所定周期毎に模擬漏電生成手段１７を所定時間作動させる作動指令を出力する。所定周期はこの場合、所定周期で模擬漏電状態が生成され、漏電検出手段１６の異常の有無が検出される。所定周期は電流変換装置の使用状態によって適宜設定される。従って、ユーザーが特に漏電検出のための操作を行わなくても、自動的に漏電検出手段１６の異常の有無を検出できる。また、所定周期で模擬漏電状態が生成されるため、電力変換装置が一度起動されてからの継続稼働時間が長い状態で電力変換装置が使用される場合でも、漏電検出手段１６の異常の有無を定期的に自動的に検出することができる。
【００４２】
○  前記所定周期はパワー部１２の起動時と無関係に設定されてもよいし、パワー部１２の起動時を基準にして設定されてもよい。パワー部１２の起動時を基準にする場合は、起動時にも漏電検出を行う周期に設定するのが好ましいが、起動時には漏電検出を行わずに起動時から所定周期で漏電検出を行うようにしてもよい。
【００４３】
○  模擬漏電生成手段１７を構成するリレーに代えて、図４に示すように、フォトカップラ２６を使用したり、半導体素子などの無接点スイッチを使用してもよい。この場合、リレー２４のような有接点スイッチに比較して寿命が長くなる。
【００４４】
○  模擬漏電生成手段１７を所定時間作動させる作動手段をソフト的に構成する代わりにハード的に構成してもよい。例えば、作動手段として、パワー部１２への起動時にカウントを開始するタイマを設け、リレー２４としてパワー部１２への起動指令に伴って自己保持される構成のリレーを使用する。そして、タイマの常閉接点を抵抗２３及びリレー２４が接続された回路に直列に接続する。この構成により、パワー部１２への起動時にリレー２４が励磁されて模擬漏電生成手段１７が作動を開始し、タイマのタイムアップによりリレー２４が消磁されて模擬漏電生成手段１７の作動が停止される。
【００４５】
○  漏電検出手段１６の異常の有無を判断する判断手段をマイコンではなく、ハード的に構成してもよい。例えば、図３に示すように、増幅器２２の出力と基準電圧Ｖｒとを比較し、増幅器２２の出力が基準電圧Ｖｒ以上のときにＨレベルの信号を出力する比較器２７と、イクスクルーシブオア（排他的論理和）回路２８と、ラッチ回路としてのＲＳフリップフロップ回路２９とを設ける。そして、イクスクルーシブオア回路２８には比較器２７の出力と、リレー２４のオン（励磁）状態でＨレベルの信号を出力し、リレー２４のオフ（消磁）状態でＬレベルの信号を出力する回路３０の出力とが入力される構成とする。また、ＲＳフリップフロップ回路２９のセット端子Ｓには電源オン時にパルス信号が入力され、リセット端子Ｒにはイクスクルーシブオア回路２８の出力が入力される。そして、ＲＳフリップフロップ回路２９がラッチ解除状態（セット状態）で制御部１４からドライブ回路１３への制御指令信号が出力可能に、ＲＳフリップフロップ回路２９がラッチ状態（リセット状態）ではドライブ回路１３への制御指令信号が出力不能に構成する。従って、電源オン時にＲＳフリップフロップ回路２９がラッチ解除状態になってパワー部１２から出力可能となり、その後、イクスクルーシブオア回路２８からＨレベルの信号がリセット端子Ｒに出力されると、ＲＳフリップフロップ回路２９がリセット状態になり、パワー部１２の出力が停止される。
【００４６】
比較器２７からＨレベルの信号が出力されるのは漏電が検出されたときであり、漏電が検出されるのは、漏電検出手段１６が正常で、かつ真の漏電状態か模擬漏電状態のときである。模擬漏電状態ではリレー２４がオン状態のため、回路３０からはＨレベルの信号が出力される。従って、漏電検出手段１６が正常であれば、イクスクルーシブオア回路２８の出力はＬレベルになる。模擬漏電状態でなければ、リレー２４がオフ状態のため、回路３０からはＬレベルの信号が出力される。この時、漏電検出手段１６が正常であれば比較器２７からはＬレベルの信号が出力され、イクスクルーシブオア回路２８の出力はＬレベルに保持される。従って、漏電検出手段１６が正常であれは、比較器２７及び回路３０の出力が変更されても、イクスクルーシブオア回路２８はＬレベルの信号を出力し、ＲＳフリップフロップ回路２９の出力はＨレベルに保持されて、パワー部１２からの出力が継続される。漏電検出手段１６が異常であれば、回路３０からＬレベルの信号が出力している状態で比較器２７からＨレベルの信号が出力されるか、回路３０からＨレベルの信号が出力している状態で比較器２７からＬレベルの信号が出力される。その結果、イクスクルーシブオア回路２８からＲＳフリップフロップ回路２９のリセット端子ＲにＨレベルの信号が出力され、ＲＳフリップフロップ回路２９の出力がＬレベルになってパワー部１２からの出力が停止される。
【００４７】
○  模擬漏電生成手段１７の作動が自動的に行われる構成に限らない。例えば、自動的に行われる他に、手動操作でも模擬漏電生成手段１７を作動可能に構成したり、手動操作のみで模擬漏電生成手段１７を作動可能に構成してもよい。手動操作と自動的との両方で模擬漏電生成手段１７を作動可能とする構成としては、例えば、リレー２４の接点２４ａと並列に手動スイッチを接続する。手動操作のみで模擬漏電生成手段１７を作動可能とする構成としては、例えば、リレー２４に代えて、手動スイッチを抵抗２３と直列に接続する。
【００４８】
○  車載用のインバータ装置１０が出力する交流電圧は１００Ｖに限らず家電製品で使用する他の交流電圧（例えば、１１０Ｖ，２００Ｖ等）としてもよい。
以下の技術的思想（発明）は前記実施の形態から把握できる。
【００４９】
（１）  請求項４に記載の発明において、前記パワー部はバッテリから供給される直流電圧を交流電圧に変換する。
（２）  請求項１〜請求項４及び前記技術的思想（１）のいずれか一項に記載の発明において、前記制御手段が、前記模擬漏電生成手段の作動手段及び前記判断手段としての機能を備えている。
【００５０】
（３）  請求項１〜請求項４及び前記技術的思想（１），（２）のいずれか一項に記載の発明において、前記漏電検出手段は、零相変流器と増幅回路とを備えている。
【図面の簡単な説明】
【００５１】
【図１】一実施形態の構成図。
【図２】漏電検出動作を示すフローチャート。
【図３】別の実施形態の判断手段の構成を示すブロック回路図。
【図４】別の実施形態を示す構成図。
【図５】従来技術の漏電検出機能確認装置付きコンセントの構成図。
【符号の説明】
【００５２】
１０…電流変換装置としてのインバータ装置、１２…パワー部、１４…判断手段及び制御手段としての制御部、１５ａ，１５ｂ…出力ライン、１６…漏電検出手段、１７…模擬漏電生成手段、２０…電源としてのバッテリ。
【図１】
2005057965.tif 000003
【図２】
2005057965.tif 000004
【図３】
2005057965.tif 000005
【図４】
2005057965.tif 000006
【図５】
2005057965.tif 000007